(57)【要約】      （修正有）【課題】日本人はドライタイプが多く、耳掻きや綿棒で掻き出しても粉状に残留することから、梵天を固定しているが完全には掻き出せない、また、綿棒はウエットタイプの耳垢には好適なものであるが、粉耳は掻き出せない。【解決手段】耳掻き部２に織布又は不織布又は紙又はゴムを捲着させた巻紙部４を備え、更に、耳掻き部２を弧面状の外周面２ａに形成し、更に、耳掻き部２に角部２ｂを備え、更に、耳掻き部２に凹溝２ｃを刻設し、更に、耳掻き部２と巻紙部４との間に軟質材層５を介装させ、更に、巻紙部４１は裏面に粘着層４ａを形成すると共に、テープ状の巻紙部４１に形成し、更に、巻紙部４２は裏面に粘着層４ａを形成すると共に、切断線４２ａを設けて短冊状の巻紙部４２に形成し、更に、巻紙部４の粘着層４ａに剥離層４ｂを積層させ、更に、巻紙部４に多数の孔４ｃを穿設したものである。【選択図】図１
0003129620.tif 000002
【実用新案登録請求の範囲】
【請求項１】
先端側に棒状の耳掻き部と基端側に手で把持する把持部とを一体的に形成した耳掻き棒であって、前記耳掻き部の外周にシート状の織布又は不織布又は紙又はゴムを捲着させた巻紙部を備えたことを特徴とする耳掻き棒。
【請求項２】
前記耳掻き部の長手方向の中程を拡径して両側に窄まる弧面状の外周面に形成したことを特徴とする請求項１に記載の耳掻き棒。
【請求項３】
前記耳掻き部を略扁平棒状又は略３〜６角棒状に形成し長手方向に角部を備えたことを特徴とする請求項１又は請求項２に記載の耳掻き棒。
【請求項４】
前記耳掻き部の角部と角部の間の長手方向に凹溝を刻設したことを特徴とする請求項３に記載の耳掻き棒。
【請求項５】
前記耳掻き部と捲着する巻紙部との間に柔軟性を有するゴム又は合成樹脂の軟質材層を介装させたことを特徴とする請求項１〜４のいずれか一項に記載の耳掻き棒。
【請求項６】
前記巻紙部はシート状の織布又は不織布又は紙又はゴムの裏面に粘着材を塗布して粘着層を形成すると共に、テープ状の巻紙部に形成したことを特徴とする請求項１〜５のいずれか一項に記載の耳掻き棒。
【請求項７】
前記巻紙部はシート状の織布又は不織布又は紙又はゴムの裏面に粘着材を塗布して粘着層を形成すると共に、長手方向と巾方向とに一定間隔で複数の切断線を設けて短冊状の巻紙部に形成したことを特徴とする請求項１〜５のいずれか一項に記載の耳掻き棒。
【請求項８】
前記巻紙部の粘着層に剥離紙から成る剥離層を積層させたことを特徴とする請求項６又は請求項７に記載の耳掻き棒。
【請求項９】
前記巻紙部に多数の孔を穿設したことを特徴とする請求項６〜８のいずれか一項に記載の耳掻き棒。
【考案の詳細な説明】
【技術分野】
【０００１】
本考案は、耳掻き棒に関するものであり、更に詳細には、耳掻き棒の耳掻き部にシート状の織布又は不織布又は紙又はゴムを捲着させた巻紙部を形成した耳掻き棒に関するものである。
【背景技術】
【０００２】
従来、この種の耳垢を除去するための耳掻き棒又は綿棒は汎用されており、夫々工夫され生活において役に立っている。一般的には匙状の耳掻き部を形成したものや、ループ状のワイヤーで耳掻き部を形成した耳掻き、又は、丸棒の先端に綿玉や繊維を被せるように付設した耳掻きや綿棒がある。
【０００３】
例えば、先に開示されている、断面円形の合成樹脂製の可撓性のバー状シャンク４の端部に綿球等の柔軟体５を設け、その周面，内部の少くとも周面に粘着材７を巻き付け，含浸，塗布等の手段により設け、掃擦プロセスにおいて、綿球の機械的な刷掃作用と共に粘着材による吸着剥離を積極的に行い、汚れ剥離をより効果的に行うもの（特許文献１参照）や、先端に耳かきを有する耳かき棒の後部を、先端に膨らみを有する粘着素材の筒に挿入した構成である。また、耳かき棒の後部に脱脂綿を巻いて固定し、表面に粘着剤を塗布することもできるもの（特許文献２参照）や、芯棒の端部に綿、糸、布などの吸湿性の柔らかい素材を巻き付けて、綿棒状にするとともに、巻き付けた吸湿性素材の表面に凹凸ができるように構成するもの（特許文献３参照）や、綿棒の軸の一方の端部に綿塊部分の直径より細く、吸水性のある紙を捲着するもの（特許文献４参照）がある。
【特許文献１】実開平６−７８７８号公報
【特許文献２】特開平１１−１９７０５１号公報
【特許文献３】特開平９−１８７３９６号公報
【特許文献４】特開２００５−３４５６７号公報
【考案の開示】
【考案が解決しようとする課題】
【０００４】
然し乍ら、一般的に日本人はドライタイプ、つまり、粉耳が多く、耳掻きや綿棒で掻き出しても粉状の耳垢が外耳に残留することから、耳掻き棒の把持部側の端部に梵天と称される水鳥の羽毛を丸めて固定し、掃き出しているが完全には掻き出せないのが実情であり、また、綿棒はウエットタイプの耳垢や水分を含んだ耳垢には好適なものであるが、粉耳は掻き出せないものであり、その為に、前述の特許文献１．２は、綿棒の表面に粘着材を塗布して耳垢を粘着させて取り出すものであるが、外耳から剥離している耳垢は粘着材に粘着させて取り出すことが可能であるが、外耳に付着した耳垢は取り出せないものであり、更に、特許文献３．４は、吸湿性又は吸水性の綿棒部位を形成して耳垢を取り出そうとするものであるが、従来の綿棒は脱脂綿であり、吸湿性又は吸水性を有しており、綿棒と同様なものである。
【課題を解決するための手段】
【０００５】
本考案の耳掻き棒は、前述の課題に鑑み、鋭意研鑽の結果、耳掻き部と把持部とを一体的に形成した耳掻き棒であって、耳掻き部の外周にシート状の織布又は不織布又は紙又はゴムを捲着させた巻紙部を備えたものであり、更に、耳掻き部の長手方向の中程を拡径して両側に窄まる弧面状の外周面に形成したものであり、更には、耳掻き部を略扁平棒状又は略３〜６角棒状に形成し長手方向に角部を備えたものであり、加えて、耳掻き部の角部と角部の間の長手方向に凹溝を刻設したものであり、更に、耳掻き部と捲着する巻紙部との間に柔軟性を有する軟質材層を介装させたものであり、更に、巻紙部は織布又は不織布又は紙又はゴムの裏面に粘着材を塗布して粘着層を形成すると共に、テープ状の巻紙部に形成したものであり、更に、巻紙部はシート状の織布又は不織布又は紙又はゴムの裏面に粘着材を塗布して粘着層を形成すると共に、長手方向と巾方向とに一定間隔で複数の切断線を設けて短冊状の巻紙部に形成したものであり、巻紙部の粘着層に剥離紙から成る剥離層を積層させたものであり、更に、巻紙部に多数の孔を穿設したものである。
【考案の効果】
【０００６】
本考案の耳掻き棒は、棒状の耳掻き部にシート状の織布又は不織布又は紙又はゴムにより巻紙部を形成したものであって、耳掻き部に捲着させた巻紙部により耳垢を掻き取ると共に取り出すものであり、使用後は巻紙部だけを剥がして破棄するもので、綿棒のように全体を使い捨てるものでなく経済的なものであり、また、一般の耳掻きのように何度も同じ耳掻き部を使用しないので衛生的であり、更には、シート状の織布又は不織布又は紙又はゴムの材質や硬さや面粗さを自在に変更できることから、各自の耳の状態に合致した耳掻き棒を設定することのできる画期的なもので、実用性の高い考案である。
【考案を実施するための最良の形態】
【０００７】
以下、本考案の耳掻き棒の実施例の図面によって具体的に説明すると、図１は本考案の耳掻き棒の実施例の（ａ）は平面図（ｂ）は矩形状の巻紙部を用いた平面図であり、図２は本考案の耳掻き棒の実施例のテープ状の巻紙部を用いた平面図であり、図３は本考案の耳掻き棒の実施例の多数の孔を実施した平面図であり、図４は本考案の耳掻き棒の実施例の（ａ）（ｂ）は細いテープ状の巻紙部を用いた平面図であり、図５は本考案の耳掻き棒の実施例の巻紙部に用いる巻紙テープの斜視図であり、図６は本考案の耳掻き棒の実施例の巻紙部に用いる巻紙テープを保護ケースに収納させた斜視図であり、図７は本考案の耳掻き棒の実施例の（ａ）は巻紙部に用いる短冊状の巻紙の斜視図（ｂ）はその断面図であり、図８は本考案の耳掻き棒の実施例の使用状態を説明する説明図であり、図９の（ａ）（ｂ）（ｃ）は本考案の耳掻き棒の実施例の耳掻き部の横断面図であり、図１０の（ａ）（ｂ）は本考案の耳掻き棒の実施例の要部断面図である。
【０００８】
本考案は、耳掻き棒１に関するものであり、更に詳細には、耳掻き棒１の耳掻き部２にシート状の織布又は不織布又は紙又はゴムを捲着させた巻紙部４を形成した耳掻き棒１に関するものであり、請求項１に記載の耳掻き棒は、先端側に棒状の耳掻き部２と基端側に手で把持する把持部３とを一体的に形成した耳掻き棒１であって、前記耳掻き部２の外周にシート状の織布又は不織布又は紙又はゴムを捲着させた巻紙部４を備えたことを特徴とするものである。
【０００９】
更に、請求項２に記載の耳掻き棒は、請求項１に記載の耳掻き棒において、前記耳掻き部２の長手方向の中程を拡径して両側に窄まる弧面状の外周面２ａに形成したことを特徴とするものである。
【００１０】
更には、請求項３に記載の耳掻き棒は、請求項１又は請求項２に記載の耳掻き棒において、前記耳掻き部２を略扁平棒状又は略３〜６角棒状に形成し長手方向に角部２ｂを備えたことを特徴とするものである。
【００１１】
加えて、請求項４に記載の耳掻き棒は、請求項３に記載の耳掻き棒において、前記耳掻き部２の角部２ｂと角部２ｂの間の長手方向に凹溝２ｃを刻設したことを特徴とするものである。
【００１２】
また、請求項５に記載の耳掻き棒は、請求項１〜４のいずれか一項に記載の耳掻き棒において、前記耳掻き部２と捲着する巻紙部４との間に柔軟性を有するゴム又は合成樹脂の軟質材層５を介装させたことを特徴とするものである。
【００１３】
また、請求項６記載の耳掻き棒は、請求項１〜５のいずれか一項に記載の耳掻き棒において、前記巻紙部４１はシート状の織布又は不織布又は紙又はゴムの裏面に粘着材を塗布して粘着層４ａを形成すると共に、テープ状の巻紙部４１に形成したことを特徴とするものである。
【００１４】
また、請求項７に記載の耳掻き棒は、請求項１〜５のいずれか一項に記載の耳掻き棒において、前記巻紙部４２はシート状の織布又は不織布又は紙又はゴムの裏面に粘着材を塗布して粘着層４ａを形成すると共に、長手方向と巾方向とに一定間隔で複数の切断線４２ａを設けて短冊状の巻紙部４２に形成したことを特徴とするものである。
【００１５】
また、請求項８に記載の耳掻き棒は、請求項６又は請求項７に記載の耳掻き棒において、前記巻紙部４の粘着層４ａに剥離紙から成る剥離層４ｂを積層させたことを特徴とするものである。
【００１６】
また、請求項９に記載の耳掻き棒は、請求項６〜８のいずれか一項に記載の耳掻き棒において、前記巻紙部４に多数の孔４ｃを穿設したことを特徴とするものである。
【実施例】
【００１７】
即ち、本考案の耳掻き棒１は、竹、木、合成樹脂、金属等で、先端側に棒状の耳掻き部２を形成し、基端側に手で把持する棒状の把持部３を形成したもので、耳掻き部２と把持部３とを一体の同一部材で形成しても、耳掻き部２と把持部３とを螺合、嵌合等の手段により、一体化させるものでも、また、耳掻き部２を軟質材で形成し、把持部３を硬質材で形成した異部材を組み合わせても構わないものである。
【００１８】
そして、巻紙部４は、シート状の織布又は不織布又は紙又はゴムであり、ミクロ原糸の織布や、不織布、又は、和紙等の紙、又は、極薄状のゴムであり、耳掻き部２の外周に着脱自在に捲着できるものである。
【００１９】
次に、耳掻き部２の長手方向の中程を拡径して両側に窄まる弧面状の外周面２ａに形成したもので、つまり、把持部３を把持して耳掻き部２を外耳Ａに挿通させて耳垢Ｂを先端で押さえて掻き出すときに、弧面状の外周面２ａに沿った傾斜で行うことができ、接触面積を拡げて効率良く耳垢Ｂを掻き出せるものである。
【００２０】
次いで、角部２ｂは、耳掻き部２を略扁平棒状又は略３〜６角棒状に形成したことにより、長手方向に形成されるもので、図９の耳掻き部２の横断面図に図示するように、（ａ）は略４角形であり、（ｂ）は略３角形であり、（ｃ）は略扁平状に形成しているもので、夫々の突起部が角部２ｂとなるものであり、外耳Ａの痒い場所に角部２ｂを当接させて掻くのに好適なものである。
【００２１】
更に、凹溝２ｃは、耳掻き部２に形成した角部２ｂと角部２ｂの間の長手方向にを刻設したもので、図１に図示するように、４角棒状の角部２ｂと角部２ｂの間に設けているもので、角部２ｂが鋭角的に且つより高い角部２ｂと成るものである。
【００２２】
更には、軟質材層５は、図１０（ａ）に図示するように、生ゴム、シリコン樹脂等の柔軟性を有するゴム又は合成樹脂で形成したもので、耳掻き部２と捲着する巻紙部４との間に介装させたものであり、強く押さえて耳垢Ｂを掻き出す場合も、適宜なクッション性を得られるものである。
【００２３】
そして、巻紙部４１は、図５に図示するように、シート状の織布又は不織布又は紙又はゴムの裏面に粘着材を塗布して粘着層４ａを形成すると共に、テープ状に形成したものであり、図６に図示するものは、テープ状の巻紙部４１を保護ケース４１ａに収納したもので、使用するときに適宜な長さに切断して耳掻き部２に捲着させて用いるものであり、図４（ａ）（ｂ）に図示するものは、極細のテープ状の巻紙部４１にして、耳掻き部２にずれを防止するずれ防止用溝４１ｂを角部２ｂに刻設して、両端をテープ止め４１ｃで固着したものである。
【００２４】
更に、図７（ａ）に図示するように、巻紙部４２は、シート状の織布又は不織布又は紙又はゴムの裏面に粘着材を塗布して粘着層４ａを形成すると共に、長手方向と巾方向とに一定間隔で複数の切断線４２ａを設けたもので、予め、巻紙部４２が短冊状に成るように複数の切断線４２ａを設けて短冊状の巻紙部４２を剥がしてそのまま耳掻き部２に捲着して使用するものである。
【００２５】
更には、剥離層４ｂは、図７（ｂ）に図示する如く、巻紙部４の粘着層４ａに剥離紙を積層させたものであり、巻紙部４を剥がすときに粘着層４ａの剥離を容易にしているものである。
【００２６】
次いで、孔４ｃは、巻紙部４に多数穿設しているもので、外耳Ａに挿通させて、回転又は前後に動かすことにより、粉状の耳垢Ｂは孔４ｃの中に付着して確実に除去できるものである。
【産業上の利用可能性】
【００２７】
本考案の耳掻き棒は、耳掻き部に捲着させたシート状の織布又は不織布又は紙又はゴムにより巻紙部を形成し、巻紙部により耳垢を掻き取ると共に取り出すものであり、使用後は巻紙部だけを剥がして破棄するもので、経済的なものであり、また、何度も同じ巻紙部を使用しないので衛生的であり、更には、シート状の織布又は不織布又は紙又はゴムの材質や硬さや面粗さを自在に変更できることから、各自の耳の状態に合致した耳掻き棒を提供するものである。
【図面の簡単な説明】
【００２８】
【図１】図１は本考案の耳掻き棒の実施例の（ａ）は平面図（ｂ）は矩形状の巻紙部を用いた平面図である。
【図２】図２は本考案の耳掻き棒の実施例のテープ状の巻紙部を用いた平面図である。
【図３】図３は本考案の耳掻き棒の実施例の多数の孔を実施した平面図である。
【図４】図４は本考案の耳掻き棒の実施例の（ａ）（ｂ）は細いテープ状の巻紙部を用いた平面図である。
【図５】図５は本考案の耳掻き棒の実施例の巻紙部に用いる巻紙テープの斜視図である。
【図６】図６は本考案の耳掻き棒の実施例の巻紙部に用いる巻紙テープを保護ケースに収納させた斜視図である。
【図７】図７は本考案の耳掻き棒の実施例の（ａ）は巻紙部に用いる短冊状の巻紙の斜視図（ｂ）はその断面図である。
【図８】図８は本考案の耳掻き棒の実施例の使用状態を説明する説明図である。
【図９】図９の（ａ）（ｂ）（ｃ）は本考案の耳掻き棒の実施例の耳掻き部の横断面図である。
【図１０】図１０の（ａ）（ｂ）は本考案の耳掻き棒の実施例の要部断面図である。
【符号の説明】
【００２９】
Ａ      外耳
Ｂ      耳垢
１      耳掻き棒
２      耳掻き部
２ａ    弧面状の外周面
２ｂ    角部
２ｃ    凹溝
３      把持部
４      巻紙部
４ａ    粘着層
４ｂ    剥離層
４ｃ    孔
４１    テープ状の巻紙部
４１ａ  保護ケース
４１ｂ  ずれ防止用溝
４１ｃ  テープ止め
４２    矩形状の巻紙部
４２ａ  切断線
５      軟質材層
【図１】
0003129620.tif 000003
【図２】
0003129620.tif 000004
【図３】
0003129620.tif 000005
【図４】
0003129620.tif 000006
【図５】
0003129620.tif 000007
【図６】
0003129620.tif 000008
【図７】
0003129620.tif 000009
【図８】
0003129620.tif 000010
【図９】
0003129620.tif 000011
【図１０】
0003129620.tif 000012